(57)【要約】  装置本体の外にインク収容部を備える構成において、ノイズの影響を抑え適切な制御を実行可能とする。  記録装置は、液体を噴射可能な記録ヘッドと、記録ヘッドを制御する制御部と、記録ヘッド及び制御部を備える記録ユニットと、液体収容体及び液体収容体の情報を保持する電子部品を格納するタンクユニットと、液体収容体から記録ユニットの内部に液体を導くチューブと、制御部と電子部品とを電気的に接続する電気配線とを備え、電気配線はケーブルを接続する接続部と、接続部に対し電子部品側の配線を構成するケーブルであって一部がタンクユニット内に配線される電子部品側ケーブルと接続部に対し制御部側の配線を構成するケーブルであって一部が記録ユニット内に配線される制御部側ケーブルとを含み、電子部品側ケーブルが伝送する信号はアナログ信号を含み、制御部側ケーブルが伝送する信号はアナログ信号を含まない。
2015136869.tif 000002
【特許請求の範囲】
【請求項１】
媒体に対し液体を噴射可能な記録ヘッドと、
前記記録ヘッドを制御する制御部と、
前記記録ヘッド及び前記制御部を備える記録ユニットと、
前記液体を収容する液体収容体、及び前記液体収容体の情報を保持する電子部品を備えるタンクユニットと、記録ユニット
前記液体収容体から前記記録ユニットの内部に前記液体を導くチューブと、
前記制御部と前記電子部品とを電気的に接続する電気配線と、を備え、
前記電気配線は、ケーブルを接続する接続部と、
前記接続部に対し前記電子部品側の配線を構成するケーブルであって少なくとも一部が前記タンクユニット内に配線される電子部品側ケーブルと、
前記接続部に対し前記制御部側の配線を構成するケーブルであって少なくとも一部が前記記録ユニット内に配線される制御部側ケーブルと、を含み、
前記電子部品側ケーブルが伝送する信号は、アナログ信号を含み、
前記制御部側ケーブルが伝送する信号は、アナログ信号を含まない、ことを特徴とする記録装置。
【請求項２】
媒体に対し液体を噴射可能な記録ヘッドと、
前記記録ヘッドを制御する制御部と、
前記記録ヘッド及び前記制御部を備える記録ユニットと、
前記液体を収容する複数の液体収容体、及び複数の前記液体収容体の情報を保持する複数の電子部品を備えるタンクユニットと、
複数の前記液体収容体から前記記録ユニットの内部に前記液体を導く複数のチューブと、
前記制御部と前記電子部品とを電気的に接続する電気配線と、を備え、
前記電気配線は、ケーブルを接続する接続部と、
前記接続部に対し前記制御部側の配線を構成する制御部側ケーブルと、
前記接続部に対し複数の前記電子部品側の配線を構成する複数の電子部品側ケーブルと、を含み、
前記接続部は、複数の前記電子部品側ケーブルと一の前記制御部側ケーブルを接続可能であるとともに、複数の前記電子部品と前記制御部との間の情報の送受信において、一の前記制御部側ケーブルによるデジタル信号の伝送を介して中継する中継手段を構成する、ことを特徴とする記録装置。
【請求項３】
媒体に対し液体を噴射可能な記録ヘッドと、
前記記録ヘッドを制御する制御部と、
前記記録ヘッド及び前記制御部を備える記録ユニットと、
前記液体を収容する液体収容体、及び前記液体収容体の情報を保持する電子部品を備えるタンクユニットと、
前記液体収容体から前記記録ユニットの内部に前記液体を導くチューブと、
前記制御部と前記電子部品とを電気的に接続する電気配線と、を備え、
前記電気配線は、ケーブルを接続する接続部と、
前記接続部に対し前記制御部側の配線を構成する制御部側ケーブルと、
前記接続部に対し前記電子部品側の配線を構成する電子部品側ケーブルと、を含み、
前記接続部は、前記電子部品と前記制御部との間の情報の送受信において、一の前記制御部側ケーブルによるデジタル信号の伝送を介して中継する中継手段を構成するとともに、前記電気配線において前記制御部と前記電子部品との間の中間位置に対し前記電子部品に近い側に設けられている、ことを特徴とする記録装置。
【請求項４】
請求項１から請求項３のいずれか一項に記載の記録装置において、前記制御部側ケーブル及び前記電子部品側ケーブルの少なくともいずれかは、前記接続部において接続及び切り離しが可能であり、
前記タンクユニットには前記電気配線を通す開口が形成され、
前記接続部は、前記開口と前記電子部品との間に設けられている、ことを特徴とする記録装置。
【請求項５】
請求項１から請求項３のいずれか一項に記載の記録装置において、前記制御部側ケーブル及び前記電子部品側ケーブルの少なくともいずれかは、前記接続部において接続及び切り離しが可能であり、
前記記録ユニットには前記電気配線を通す開口が形成され、
前記接続部は、前記開口と前記電子部品との間に設けられている、ことを特徴とする記録装置。
【請求項６】
請求項４または請求項５に記載の記録装置において、前記接続部は、前記開口の内側に固定されている、ことを特徴とする記録装置。
【請求項７】
請求項２に記載の記録装置において、複数の前記電子部品側ケーブルは、前記タンクユニットの内部において重なることなく並列に配線されている、ことを特徴とする記録装置。
【発明の詳細な説明】
【技術分野】
【０００１】
本発明は、媒体に記録を行う記録装置に関する。
【背景技術】
【０００２】
以下、記録装置の一例としてのインクジェットプリンターを例に説明する。インクジェットプリンターには、特許文献１に示される様に、装置本体の外に外部インク供給装置を設け、インク収容可能量の増大化を可能とするものがある。外部インク供給装置が備えるインクバッグとプリンター本体とは、インク供給チューブで接続される。
【先行技術文献】
【特許文献】
【０００３】
【特許文献１】特開２００９−２０２３４６号公報
【発明の概要】
【発明が解決しようとする課題】
【０００４】
ここでインク収容部（上記特許文献１の例では外部インク供給装置）には、インクの色毎にインク収容体（インクバッグ）が設けられ、インク収容体毎に交換が可能に構成されるとともに、更にインク収容体毎に、インクの種別（色、容量）やインク残量などの情報を保持する記憶媒体（電子部品）がインクバッグ毎に設けられる場合がある。この場合、プリンターの制御部（メイン基板）と前記記憶媒体とは、ケーブルによって電気的に接続される。【０００５】
この様に装置本体の外にインク収容部を設け、装置本体内の制御部（メイン基板）と装置本体外のインク収容部との間をケーブルによって接続する場合、ケーブル長が長くなり、ノイズの影響を受け易くなり適切な制御が行えなくなる虞がある。尚、本明細書においてケーブル長の増大に伴うノイズの影響とは、ケーブルが外部からノイズを拾うという受動的な場合と、ケーブルからノイズを発するという能動的な場合との双方を含む意味である。【０００６】
そこで本発明はこの様な状況に鑑み成されたものであり、その目的は、装置本体の外にインク収容部を備える構成において、ノイズの影響を抑え適切な制御を実行可能とすることにある。
【課題を解決するための手段】
【０００７】
上記課題を解決する為の、本発明の第１の態様に係る記録装置は、媒体に対し液体を噴射可能な記録ヘッドと、前記記録ヘッドを制御する制御部と、前記記録ヘッド及び前記制御部を備える記録ユニットと、前記液体を収容する液体収容体、及び前記液体収容体の情報を保持する電子部品を備えるタンクユニットと、前記液体収容体から前記記録ユニットの内部に前記液体を導くチューブと、前記制御部と前記電子部品とを電気的に接続する電気配線と、を備え、前記電気配線は、ケーブルを接続する接続部と、前記接続部に対し前記電子部品側の配線を構成するケーブルであって少なくとも一部が前記タンクユニット内に配線される電子部品側ケーブルと、前記接続部に対し前記制御部側の配線を構成するケーブルであって少なくとも一部が前記記録ユニット内に配線される制御部側ケーブルと、を含み、前記電子部品側ケーブルが伝送する信号は、アナログ信号を含み、前記制御部側ケーブルが伝送する信号は、アナログ信号を含まないことを特徴とする。【０００８】
本態様によれば、前記制御部と前記電子部品とを電気的に接続する電気配線は、接続部と、液体収容体の電子部品に近い電子部品側ケーブルと、制御部側に近い制御部側ケーブルと、を含み、前記電子部品側ケーブルが伝送する信号は、アナログ信号を含み、前記制御部側ケーブルが伝送する信号は、アナログ信号を含まないので、ノイズ発生源の多い装置本体側（記録ヘッドを備える構造体側）においてアナログ信号が用いられず、即ちデジタル信号により情報の伝送が行われるので、ノイズの影響を抑え適切な制御を実行することができる。【０００９】
本発明の第２の態様は、媒体に対し液体を噴射可能な記録ヘッドと、前記記録ヘッドを制御する制御部と、前記記録ヘッド及び前記制御部を備える記録ユニットと、前記液体を収容する複数の液体収容体、及び複数の前記液体収容体の情報を保持する複数の電子部品を備えるタンクユニットと、複数の前記液体収容体から前記記録ユニットの内部に前記液体を導く複数のチューブと、前記制御部と前記電子部品とを電気的に接続する電気配線と、を備え、前記電気配線は、ケーブルを接続する接続部と、前記接続部に対し前記制御部側の配線を構成する制御部側ケーブルと、前記接続部に対し複数の前記電子部品側の配線を構成する複数の電子部品側ケーブルと、を含み、前記接続部は、複数の前記電子部品側ケーブルと一の前記制御部側ケーブルを接続可能であるとともに、複数の前記電子部品と前記制御部との間の情報の送受信において、一の前記制御部側ケーブルによるデジタル信号の伝送を介して中継する中継手段を構成することを特徴とする。【００１０】
本態様によれば、前記タンクユニットの内部に前記液体収容体を複数備え、前記電子部品及び前記電子部品側ケーブルは、複数の前記液体収容体毎に設けられ、複数の前記電子部品側ケーブルは、前記接続部に接続される。即ち複数の前記電子部品側ケーブルは前記接続部で集約され、そして一の前記制御部側ケーブルによるデジタル信号の伝送を介して情報の送受信が行われるので、複数の前記電子部品の各々を前記制御部に接続する構成に比してケーブル長を短くすることができ、ノイズの影響を最小限に抑えることができる。【００１１】
本発明の第３の態様は、媒体に対し液体を噴射可能な記録ヘッドと、前記記録ヘッドを制御する制御部と、前記記録ヘッド及び前記制御部を備える記録ユニットと、前記液体を収容する液体収容体、及び前記液体収容体の情報を保持する電子部品を備えるタンクユニットと、前記液体収容体から前記記録装置の内部に前記液体を導くチューブと、前記制御部と前記電子部品とを電気的に接続する電気配線と、を備え、前記電気配線は、ケーブルを接続する接続部と、前記接続部に対し前記制御部側の配線を構成する制御部側ケーブルと、前記接続部に対し前記電子部品側の配線を構成する電子部品側ケーブルと、を含み、前記接続部は、前記電子部品と前記制御部との間の情報の送受信において、一の前記制御部側ケーブルによるデジタル信号の伝送を介して中継する中継手段を構成するとともに、前記電気配線において前記制御部と前記電子部品との間の中間位置に対し前記電子部品に近い側に設けられていることを特徴とする。【００１２】
本態様によれば、前記制御部と前記電子部品とを電気的に接続する電気配線は、接続部と、液体収容体の電子部品に近い電子部品側ケーブルと、制御部側に近い制御部側ケーブルと、を含んでいる。そして前記接続部が、前記電子部品と前記制御部との間の情報の送受信において、一の前記制御部側ケーブルによるデジタル信号の伝送を介して中継する中継手段を構成するとともに、前記電気配線において前記制御部と前記電子部品との間の中間位置に対し前記電子部品に近い側に設けられているので、デジタル信号による伝送距離が長くなり、これによりノイズの影響を抑え適切な制御を実行することができる。【００１３】
本発明の第４の態様は、第１から第３の態様のいずれかにおいて、前記制御部側ケーブル及び前記電子部品側ケーブルの少なくともいずれかは、前記接続部において接続及び切り離しが可能であり、前記タンクユニットには前記電気配線を通す開口が形成され、前記接続部は、前記開口と前記電子部品との間に設けられていることを特徴とする。【００１４】
本態様によれば、前記接続部において前記電子部品側ケーブル或いは前記制御部側ケーブルを切り離すことができる。これによりノイズの影響を抑制することを目的として前記電気配線を短くしても、前記タンクユニットを前記記録ユニットから容易に取り外すことができる。即ち、装置のメンテナンス性の向上と、装置の性能低下抑制との両立を図ることができる。【００１５】
本発明の第５態様は、第４の態様において、前記接続部は、前記開口の内側に固定されていることを特徴とする。
本態様によれば、前記接続部は前記開口の内側、即ち前記開口に近い位置に設けられているので、前記電子部品側ケーブル或いは前記制御部側ケーブルの接続及び切り離し作業をより容易に行うことができる。【００１６】
本発明の第６態様は、第２の態様において、複数の前記電子部品側ケーブルは、前記タンクユニットの内部において重なることなく並列に配線されていることを特徴とする。
本態様によれば、複数の前記電子部品側ケーブルは、前記タンクユニットの内部において重なることなく並列に配線されているので、複数の前記電子部品側ケーブルは互いにノイズの影響を受けることがなく、或いはノイズの影響を軽減できる。
【図面の簡単な説明】
【００１７】
【図１】第１の実施例に係るプリンターの外観斜視図。
【図２】本発明に係るプリンターにおける電気配線の概要を示すブロック図。
【図３】第１の実施例に係るプリンターにおいてブラックインクのインク収容体を格納する側のタンクユニットを開いた状態を示す斜視図。
【図４】第１の実施例に係るプリンターにおいてカラーインクのインク収容体を格納する側のタンクユニットを開いた状態を示す斜視図。
【図５】図３におけるインク収容体の取付部周辺の拡大図。
【図６】インク収容体の外観斜視図。
【図７】インク収容体のインク収容体格納タンクユニットに対する取付部の拡大斜視図。
【図８】ブラックインクのインク収容体を格納するインク収容体格納タンクユニットにおける取付部の拡大斜視図。
【図９】カラーインクのインク収容体を格納するインク収容体格納タンクユニットにおける取付部の拡大斜視図。
【図１０】インク収容体格納タンクユニットにおける開閉カバーの斜視図。
【図１１】第１の実施例に係るプリンターにおけるブラックインクの供給経路を示す斜視図。
【図１２】第１の実施例に係るプリンターにおけるカラーインクの供給経路を示す斜視図。
【図１３】ブラックインクのインク収容体を格納するインク収容体格納タンクユニットから筐体内へのブラックインクの供給経路を示す側面図。
【図１４】記録ユニット側面に設けられ、インク収容体格納タンクユニットから延びるブラックインクのインクチューブを記録ユニット内に導く開口を示す斜視図。
【図１５】図１４における開口の拡大斜視図。
【図１６】第１の実施例に係るプリンターの構造体の平面図。
【図１７】構造体内に設けられたインク中継部を示す斜視図。
【図１８】カラーインクのインク収容体を格納するインク収容体格納タンクユニットから記録ユニット内へのカラーインクの供給経路を示す側面図。
【図１９】インク収容体格納タンクユニットにおける開口部近傍の拡大図。
【図２０】記録ユニット側面に設けられ、インク収容体格納タンクユニットら延びるカラーインクの複数のインクチューブを記録ユニット内に導く開口を示す斜視図。
【図２１】図２０における開口近傍の構造体内のカラーインクの取り回しを示す斜視図。
【図２２】構造体内において構造体の幅方向に横切るフレームの下方に配置されたカラーインクのインクチューブの状態を示す断面図。
【図２３】構造体内に設けられたインク中継部を前方から見た際のインクチューブの取り回しを示す図。
【図２４】第１の実施例に係るプリンターにおけるインク収容体からの情報を伝達するケーブルの取り回しを装置前方側から見た図。
【図２５】第１の実施例に係るプリンターにおけるインク収容体からの情報を伝達するケーブルの取り回しを装置後方側から見た図。
【図２６】構造体における合流基板から制御部へのケーブルの取り回しを示す斜視図。
【図２７】第２の実施例に係るプリンターの外観斜視図。
【図２８】第２の実施例に係るプリンターにおけるブラックインクの供給経路を示す斜視図。
【図２９】第２の実施例に係るプリンターにおけるカラーインクの供給経路を示す斜視図。
【図３０】記録ユニット側面に設けられ、インク収容体格納タンクユニットから延びるブラックインクのインクチューブを記録ユニット内に導く開口を示す斜視図。
【図３１】図３０における開口の拡大斜視図。
【図３２】構造体内に設けられたインク中継部を前方から見た際のインクチューブの取り回しを示す図。
【図３３】カラーインクのインク収容体を格納するインク収容体格納タンクユニットから記録ユニット内へのカラーインクの供給経路を示す側面図。
【図３４】記録ユニット側面に設けられ、インク収容体格納タンクユニットから延びるカラーインクの複数のインクチューブを記録ユニットに導く開口を示す斜視図。
【図３５】図３４における開口近傍の構造体内のカラーインクのインクチューブ取り回しを示す斜視図。
【図３６】第２の実施例に係るプリンターにおける構造体の背面側斜視図。
【図３７】インク中継部を右側方から見た斜視図。
【図３８】構造体におけるキャリッジの移動領域及びインク中継部を前方から見た斜視図。
【図３９】第２の実施例に係るプリンターにおけるインク収容体からの情報を伝達するケーブルの取り回しを右側方側から見た図。
【図４０】第２の実施例に係るプリンターにおけるインク収容体からの情報を伝達するケーブルの取り回しを左側方側から見た図。
【図４１】インク中継部内におけるブラックインクの情報を伝達するケーブルの取り回しを示す説明図。
【図４２】構造体内におけるケーブルの取り回しを示す斜視図。
【図４３】構造体内における制御部近傍のケーブルの取り回しを示す斜視図。
【図４４】記録ユニット内に設けられた、インクチューブを保護するエッジガイドの拡大図。
【図４５】記録ユニット内においてエッジガイドを取り外した状態におけるフレームの接続部を示す図。
【発明を実施するための形態】
【００１８】
以下、本発明の実施の形態を図面に基づいて説明する。尚、各実施例において同一の構成については、同一の符号を付し、最初の実施例においてのみ説明し、以後の実施例においてはその構成の説明を省略する。
【００１９】
＜＜＜第１の実施例＞＞＞
図１は第１の実施例に係るプリンター（以下、プリンター１０という。）の外観斜視図であり、図２はプリンター１０における電気配線の概要を示すブロック図であり、図３はプリンター１０においてブラックインクのインク収容体を格納する側のタンクユニットを開いた状態を示す斜視図であり、図４はプリンター１０においてカラーインクのインク収容体を格納する側のタンクユニットを開いた状態を示す斜視図であり、図５は図３におけるインク収容体の取付部周辺の拡大図である。
【００２０】
図６はインク収容体の外観斜視図であり、図７はインク収容体のインク収容体格納ケースとしてのタンクユニットに対する取付部の拡大斜視図であり、図８はブラックインクのインク収容体を格納するインク収容体格納タンクユニットにおける取付部の拡大斜視図であり、図９はカラーインクのインク収容体を格納するインク収容体格納タンクユニットにおける取付部の拡大斜視図であり、図１０はインク収容体格納タンクユニットにおける開閉カバーの斜視図である。
【００２１】
図１１はプリンター１０におけるブラックインクの供給経路を示す斜視図であり、図１２はプリンター１０におけるカラーインクの供給経路を示す斜視図であり、図１３はブラックインクのインク収容体を格納するインク収容体格納タンクユニットから記録ユニット内へのブラックインクの供給経路を示す側面図であり、図１４は記録ユニット側面に設けられ、インク収容体格納ケースから延びるブラックインクのインクチューブを記録ユニット内に導く開口を示す斜視図であり、図１５は図１４における開口の拡大斜視図である。
【００２２】
図１６はプリンター１０の構造体の平面図であり、図１７は構造体内に設けられたインク中継部を示す斜視図であり、図１８はカラーインクのインク収容体を格納するインク収容体格納タンクユニットから記録ユニット内へのカラーインクの供給経路を示す側面図であり、図１９はインク収容体格納タンクユニットにおける開口部近傍の拡大図であり、図２０は記録ユニット側面に設けられ、インク収容体格納タンクユニットから延びるカラーインクの複数のインクチューブを記録ユニット内に導く開口を示す斜視図である。
【００２３】
図２１は図２０における開口近傍の構造体内のカラーインクのインクチューブ取り回しを示す斜視図であり、図２２は構造体内において構造体の幅方向に横切るフレームの下方に配置されたカラーインクのインクチューブの状態を示す断面図であり、図２３は構造体内に設けられたインク中継部を前方から見た際のインクチューブの取り回しを示す図であり、図２４はプリンター１０におけるインク収容体からの情報を伝達するケーブルの取り回しを装置前方側から見た図であり、図２５はプリンター１０におけるインク収容体からの情報を伝達するケーブルの取り回しを装置後方側から見た図であり、図２６は構造体における合流基板から制御部へのケーブルの取り回しを示す斜視図である。
【００２４】
各図において示すＸ−Ｙ−Ｚ座標系はＸ方向が記録ヘッドの走査方向、Ｙ方向が記録装置の奥行き方向及び用紙搬送方向、Ｚ方向が記録ヘッドと用紙との間の距離（ギャップ）の変化する方向すなわち装置高さ方向を示している。尚、各図において−Ｙ方向を装置前面側とし、＋Ｙ方向側を装置背面側とする。
【００２５】
＜＜＜プリンター及びプリンター内における電気配線の概要について＞＞＞
図１及び図２を参照して本発明の概要について説明する。本発明に係るプリンター１０は、装置本体１２と、「液体」としてのインクを収容する、「液体収容体」としてのインク収容体１４（図６参照）を格納する「ケース」としてのインク収容体格納タンクユニット１６、１８とを備えている。装置本体１２は構造体１３（図２６参照）と、当該構造体１３を覆う記録ユニット２６（図１参照）とを備えている。
【００２６】
構造体１３は、制御部２０と、キャリッジ２２とを備えている。キャリッジ２２は、媒体に対しインクを噴射可能な記録ヘッド２４を備えている。キャリッジ２２は装置本体１２内つまり構造体１３において制御部２０の制御により図１におけるＸ軸方向に移動可能に構成されている。
【００２７】
また、インク収容体格納ケースとしてのタンクユニット１６、１８は、記録ユニット２６の外側に設けられている。本実施例においてインク収容体格納タンクユニット１６、１８は、記録ユニット２６のＸ軸方向における両側面にそれぞれ着脱可能に取り付けられている。また、インク収容体格納タンクユニット１６、１８はカバー１９、１９を備えている。カバー１９、１９は、インク収容体格納タンクユニット１６、１８に対してそれぞれ開閉可能に構成されている（例えば、図３、図４）。インク収容体格納タンクユニット１６、１８は、当該インク収容体格納タンクユニット１６、１８に対してカバー１９、１９が開いた状態（図３及び図４参照）においてタンクユニット内に格納されているインク収容体１４の交換が可能である。
【００２８】
インク収容体格納タンクユニット１６には、ブラックインクを収容するインク収容体１４が着脱可能に格納されている。また、インク収容体格納タンクユニット１８にはマゼンタ、シアン、イエローの各色のインクをそれぞれ収容する複数のインク収容体１４が着脱可能に格納されている。
【００２９】
各色（ブラック、マゼンタ、シアン、イエロー）のインク収容体１４には、「電子部品」としてのＣＳＩＣ基板２８が取り付けられている（図７参照）。ＣＳＩＣ基板２８は、インク収容体１４に収容されているインクの種類、インクの残量等の情報を記憶する記憶素子を備え、インク収容体１４の情報を保持している。
【００３０】
図２に示すように、各色（ブラック、マゼンタ、シアン、イエロー）のインク収容体１４がそれぞれインク収容体格納タンクユニット１６、１８に格納された状態において、各色（ブラック、マゼンタ、シアン、イエロー）に対応するＣＳＩＣ基板２８は、後述する取付部５０の接続部５０ａ（図８参照）を介して制御部２０に電気的に接続されている。
【００３１】
ここで図２に示す本発明に係る電気配線２９について説明する。電気配線２９は、フラットケーブル３０ａ、３０ｂ、中継基板３６ａ、３６ｂ、フラットケーブル４０ａ、４０ｂ及び合流基板４２を備えて構成されている。
【００３２】
ブラックインクに対応するＣＳＩＣ基板２８には、「電子部品側ケーブル」としての９芯のフラットケーブル３０ａ（図２における細い一点鎖線参照）の一端が電気的に接続されている。フラットケーブル３０ａは、インク収容体格納タンクユニット１６に設けられた開口３２（図１３参照）と、当該開口３２と対向し、記録ユニット２６の側面に設けられた開口３４（図１４参照）とを通ってインク収容体格納タンクユニット１６から記録ユニット２６内へ延びている。
【００３３】
フラットケーブル３０ａの他端は、構造体１３内において「接続部」としての中継基板３６ａに接続されている。中継基板３６ａはノイズの影響を受け易いアナログ信号をノイズの影響を受け難いデジタル信号に変換可能な回路基板として構成されている。尚、フラットケーブル３０ａの他端は、中継基板３６ａに対して接続及び切り離しが容易なようにコネクター３８を介して取り付けられている。
【００３４】
また、フラットケーブル３０ａはＣＳＩＣ基板２８から中継基板３６ａへアナログ信号及びデジタル信号を伝達する。尚、ブラックインクに対応するＣＳＩＣ基板２８に電気的に接続されている中継基板３６ａは、開口３４と制御部２０との間に設けられている。
【００３５】
そして、中継基板３６ａは、図示しないＡ／Ｄ変換器によって、ＣＳＩＣ基板２８から送信されたアナログ信号をデジタル信号に変換する。中継基板３６ａからは「制御部側ケーブル」としての１５芯のフラットケーブル４０ａ（図２における太い一点鎖線参照）が、構造体１３内に設けられた合流基板４２に延びている。フラットケーブル４０ａは中継基板３６ａから合流基板４２へデジタル信号を伝達する。
【００３６】
次いで、マゼンタ、シアン、イエローの各色に対応する各ＣＳＩＣ基板２８にも、９芯のフラットケーブル３０ｂ（図２における細い一点鎖線参照）の一端が電気的に接続されている。各フラットケーブル３０ｂの他端は、インク収容体格納タンクユニット１８内に設けられた、「接続部」としての中継基板３６ｂにコネクター３８を介して着脱容易に接続されている。
【００３７】
また、各色に対応する各ＣＳＩＣ基板２８と中継基板３６ｂとを結ぶ各フラットケーブル３０ｂも各ＣＳＩＣ基板２８から中継基板３６ｂへアナログ信号及びデジタル信号を伝達する。尚、カラーインクに対応する各ＣＳＩＣ基板２８に電気的に接続されている中継基板３６ｂは、開口３２とＣＳＩＣ基板２８との間に設けられている。
【００３８】
そして、中継基板３６ｂは各ＣＳＩＣ基板２８から送信されたアナログ信号をデジタル信号に変換する。中継基板３６ｂには、１５芯のフラットケーブル４０ｂ（図２における太い一点鎖線参照）の一端がコネクター３８を介して着脱容易に接続されている。中継基板３６ｂから延びるフラットケーブル４０ｂは、インク収容体格納タンクユニット１８に設けられた開口３２（図１９参照）と、当該開口３２と対向し、記録ユニット２６の側面に設けられた開口３４（図２０参照）とを通って構造体１３内に延びている。そしてフラットケーブル４０ｂの他端は合流基板４２に接続されている。
【００３９】
つまり、インク収容体格納タンクユニット１８内に設けられた中継基板３６ｂには複数のＣＳＩＣ基板２８が電気的に接続され、これらのＣＳＩＣ基板２８からの情報をアナログ信号からデジタル信号へと変換した上で、一つのフラットケーブル４０ｂを通じて制御部２０へと送信する。
【００４０】
合流基板４２には、ブラックインクに対応するＣＳＩＣ基板２８に電気的に接続されているフラットケーブル４０ａと、ブラック以外の各色のインクにそれぞれ対応する複数のＣＳＩＣ基板２８に電気的に接続されているフラットケーブル４０ｂとが接続されている。そして、合流基板４２において２つのフラットケーブル４０が伝達してきた情報は、一つの１５芯のフラットケーブル４０にまとめられて制御部２０へと伝達される。
【００４１】
つまり、各色（ブラック、マゼンタ、シアン、イエロー）に対応するＣＳＩＣ基板２８の情報が中継基板３６ａ、３６ｂにおいてデジタル信号に変換され、合流基板４２を介して制御部２０に伝達されるように構成されている。尚、以上においてはＣＳＩＣ基板２８から制御部２０に向かう信号の流れの観点で説明したが、その逆方向の信号の流れも存在する。
【００４２】
また、インク収容体格納タンクユニット１６、１８には、それぞれ格納タンクユニットの開閉を検出する開閉検出センサ４４、４４（図３ないし図５）が設けられている。インク収容体格納ケース１６側に設けられた開閉検出センサ４４から延びるケーブル４６（図１３ないし図１５参照）は、開口３２、３４を経て構造体１３内の制御部２０に向けて延びて制御部２０に接続されている。同様に、インク収容体格納タンクユニット１８側に設けられた開閉検出センサ４４から延びるケーブル４６（図２における太い実線及び図３４参照）も、開口３２、３４を経て構造体１３内の制御部２０に向けて延びて制御部２０に接続されている。
【００４３】
インク収容体格納タンクユニット１６に設けられた開閉検出センサ４４はインク収容体格納ケース１６に対してカバー１９が開かれた際（図３参照）、検出信号を制御部２０へと送信する。同様に、インク収容体格納タンクユニット１８に設けられた開閉検出センサ４４もインク収容体格納タンクユニット１８に対してカバー１９が開かれた際（図４参照）、検出信号を制御部２０へと送信する。制御部２０は、開閉検出センサ４４からの信号を受信した際、キャリッジ２２及び記録ヘッド２４が媒体への記録実行動作中である場合、直ちに媒体への記録動作を中断するようにキャリッジ２２及び記録ヘッド２４を制御する。
【００４４】
電気配線２９の上記に構成されたプリンター１０では、以下の作用効果が得られる。
即ち、記録ユニット２６の外側にインク収容体格納タンクユニット１６、１８を設けるプリンター１０では、装置本体内のメンテナンス等を行う際、インク収容体格納タンクユニット１６、１８を一旦筐体２６から取り外す必要が生じる場合がある。
【００４５】
このとき、電気配線２９が仮に１本のケーブルで余長なく配線されていると、インク収容体格納タンクユニット１６、１８を取り外す前にケーブルを制御部２０から取り外すなどする必要があり、作業に手間と時間を要することとなる。一方、その様なメンテナンス性悪化を回避する為に上記ケーブルに余長を持たせると、ケーブル長の増大に伴いノイズの影響を受け易くなり好ましくない。
【００４６】
しかしながら上述の通り、制御部２０とＣＳＩＣ基板２８とを電気的に接続する電気配線２９は、中継基板３６ａ、３６ｂを含み、当該中継基板３６ａ、３６ｂにおいてＣＳＩＣ基板２８側のフラットケーブル３０ａ、３０ｂ或いは制御部２０側のフラットケーブル４０ａ、４０ｂを切り離すことができる。これにより電気配線２９を短くしても、インク収容体格納タンクユニット１６、１８を記録ユニット２６から容易に取り外すことができる。即ち、装置のメンテナンス性の向上と、装置の性能低下抑制との両立を図ることができる。
【００４７】
特にカラーインク側のインク収容体格納タンクユニット１８側では、中継基板３６ｂが開口３２とＣＳＩＣ基板２８との間に設けられている。そしてインク収容体格納タンクユニット１８は、図４に示す様にカバー１９を開くことで内部が露呈し、中継基板３６ｂにアクセスが可能となる、即ち制御部２０側のコネクター３８を取り外すことで、容易にインク収容体格納ケース１８を記録ユニット２６から切り離すことができる。
【００４８】
また、ＣＳＩＣ基板２８側の複数のフラットケーブル３０ｂが中継基板３６ｂに接続され、即ち集約されて、制御部２０側の一のフラットケーブル４０ｂによって制御部２０と接続される。従って複数のＣＳＩＣ基板２８の各々を制御部２０に接続する構成に比してケーブル長を短くすることができ、ノイズの影響を最小限に抑えることができる。
【００４９】
尚、上記実施例では、「制御部側ケーブル」としての１５芯のフラットケーブル４０ａ（或いは４０ｂ）と、「電子部品側ケーブル」としての９芯のフラットケーブル３０ａ（或いは３０ｂ）とを接続及び切り離し可能とする接続部が、中継基板３６ａ（或いは３６ｂ）により構成されていたが、中継基板に代えて、単なるコネクター同士の接続部として構成されていても良い。この場合、上記実施例の様に信号の変換（アナログとデジタル）は行わないが、接続部の構造を簡単にして低コストに構成できる。
【００５０】
また、制御部２０とＣＳＩＣ基板２８とを電気的に接続する電気配線２９は、中継基板３６ａ、３６ｂと、インク収容体１４のＣＳＩＣ基板２８に近いフラットケーブル３０ａ、３０ｂと、制御部２０側に近いフラットケーブル４０ａ、４０ｂと、を含み、フラットケーブル３０ａ、３０ｂが伝送する信号は、アナログ信号を含み、フラットケーブル４０ａ、４０ｂが伝送する信号は、アナログ信号を含まないので、ノイズ発生源の多い装置本体１２側（記録ヘッド２４を備える構造体１３側）においてアナログ信号が用いられず、即ちデジタル信号により情報の伝送が行われるので、ノイズの影響を抑え適切な制御を実行することができる。
【００５１】
また、インク収容体格納タンクユニット１８の内部にインク収容体１４を複数備え、ＣＳＩＣ基板２８及びフラットケーブル３０ｂは、複数のインク収容体１４毎に設けられ、複数のフラットケーブル３０ｂは、中継基板３６ｂに接続される。即ち複数のフラットケーブル３０ｂは中継基板３６ｂで集約され、そして一のフラットケーブル４０ｂによるデジタル信号の伝送を介して情報の送受信が行われるので、複数のＣＳＩＣ基板２８の各々を制御部２０に接続する構成に比してケーブル長を短くすることができ、ノイズの影響を最小限に抑えることができる。
【００５２】
また、制御部２０とＣＳＩＣ基板２８とを電気的に接続する電気配線２９は、中継基板３６ａ、３６ｂと、インク収容体１４のＣＳＩＣ基板２８に近いフラットケーブル３０ａ、３０ｂと、制御部２０側に近いフラットケーブル４０ａ、４０ｂとを含んでいる。そして中継基板３６ａ、３６ｂが、ＣＳＩＣ基板２８と制御部２０との間の情報の送受信において、一のフラットケーブル４０によるデジタル信号の伝送を介して中継する中継手段を構成するとともに、電気配線２９において制御部２０とＣＳＩＣ基板２８との間の中間位置に対しＣＳＩＣ基板２８に近い側に設けられているので、デジタル信号による伝送距離が長くなり、これによりノイズの影響を抑え適切な制御を実行することができる。
【００５３】
＜＜＜各構成部位の詳細について＞＞＞
以上がプリンター１０の特徴的構成についての概要であり、以下、図３以降を参照しつつ更に各構成の詳細について説明をしていく。
＜＜＜インク収容体、インク収容体格納タンクユニット＞＞＞
先ず、図３ないし図１０を参照してインク収容体１４及びインク収容体格納タンクユニット１６、１８について説明する。インク収容体格納タンクユニット１６、１８は、カバー１９、１９を備えている。カバー１９、１９はインク収容体格納タンクユニット１６、１８本体に対して回動可能に構成されている。カバー１９がタンクユニット本体に対して回動した状態（図３及び図４参照）つまりインク収容体格納タンクユニット１６、１８が開いた状態においてインク収容体格納タンクユニット１６、１８内に収容されているインク収容体１４が交換可能となる。
【００５４】
また、図６及び図７を参照するに、インク収容体１４は可撓性の袋状に構成され、インクが収容されている。また、インク収容体１４の上部には取付部１４ａが形成されている。取付部１４ａは、インク収容体１４を持ち運ぶ際の取っ手を兼ねている。また、取付部１４ａにはＣＳＩＣ基板２８とインク供給部４８が設けられている。
【００５５】
また、インク収容体格納タンクユニット１６内には、インク収容体１４を取り付ける取付部５０が設けられている（図５参照）。取付部５０には、インク収容体１４のＣＳＩＣ基板２８と電気的に接続される接続部５０ａと、インク供給部４８と接続されるインク供給口５０ｂとを備えている。
【００５６】
また、インク収容体格納タンクユニット１８内には、マゼンタ、シアン、イエローの各色に対応する取付部５０が設けられている（図９）。各色に対応する取付部５０にも、それぞれインク収容体１４のＣＳＩＣ基板２８と電気的に接続される接続部５０ａと、インク供給部４８と接続されてインクを供給するインク供給口５０ｂとが設けられている。
【００５７】
また、上述したようにインク収容体格納タンクユニット１６、１８には、それぞれ開閉検出センサ４４、４４が設けられている。開閉検出センサ４４は、タンクユニット本体側の上部に設けられている。開閉検出センサ４４はケーブル４６（図１３参照）により制御部２０と電気的に接続されている。開閉検出センサ４４にはスイッチ４４ａ（図８参照）が設けられている。また、図１０に示すようにタンクユニット本体に対して回動可能なタンクユニットの一部の上部にはスイッチ４４ａと係合可能な係合部５２が設けられている。
【００５８】
タンクユニットの一部がタンクユニット本体に対して閉じた状態にある場合、スイッチ４４ａと係合部５２とは係合する。一方、タンクユニットの一部がタンクユニット本体に対して回動し、開いた状態にある場合、スイッチ４４ａと係合部５２との係合が解消される。スイッチ４４ａは係合部５２との係合状態又は非係合状態に応じてオンオフを切り換える。開閉検出センサ４４は、スイッチ４４ａのオンオフをインク収容体格納タンクユニット１６、１８の開閉の検出信号として制御部２０に送信する。
【００５９】
＜＜＜インクの供給経路について＞＞＞
次に図１１ないし図２３を参照してインク収容体格納タンクユニット１６、１８内に収容されたインク収容体１４から供給されるインクの供給経路について説明する。
図１１及び図１２を参照するに、構造体１３内にはインク中継部５４が設けられている。インク中継部５４にはブラック、マゼンタ、シアン、イエローの各色に対応するインク収容体１４からインクを供給するインクチューブ５６を接続するための接続部５４ａが複数設けられている。尚、図１１ではカラー側のインク供給径路（インク収容体格納タンクユニット１８〜インク中継部５４）を省略し、図１２ではブラック側のインク供給径路（インク収容体格納タンクユニット１６〜インク中継部５４）を省略している。
【００６０】
インク中継部５４からはブラック、マゼンタ、シアン、イエローの各色に対応するインクチューブ５６がキャリッジ２２に向けて延びている。インク中継部５４とキャリッジ２２との間の複数のインクチューブ５６は図１１及び図１２におけるＺ軸方向に重ねられて整列させられるとともにキャリッジ２２の図１１及び図１２におけるＸ軸方向の移動に追従して変形するように構成されている。
【００６１】
また、インク収容体格納タンクユニット１６（図１１においては説明のため図示を省略している。）内に設けられた取付部５０からはブラックインクに対応するインクチューブ５６ａが構造体１３内に延び、インク中継部５４の接続部５４ａに接続されている。尚、取付部５０にインク収容体１４を取り付けると、インク収容体１４のインク供給部４８とインク供給口５０ｂとが連通し、インク収容体１４からインク中継部５４を介してキャリッジ２２の記録ヘッド２４までブラックインクを供給可能となる。尚、図１１においてブラックインクに対応するインク収容体１４は説明のために図示を省略している。
【００６２】
また、図１２に示すようにインク収容体格納タンクユニット１８（図１２において説明のため図示を省略している。）に設けられた、マゼンタ、シアン、イエローの各色に対応する３つの取付部５０（図１２においては説明のため、マゼンタとイエローに対応する取付部５０の図示は省略している。）からは、各色（マゼンタ、シアン、イエロー）のカラーインクに対応するインクチューブ５６ｂが構造体１３内に延び、インク中継部５４の接続部５４ａにそれぞれ接続されている。
【００６３】
尚、各色（マゼンタ、シアン、イエロー）に対応する取付部５０にそれぞれ対応する色のインク収容体１４を取り付けると、各色のインク収容体１４のインク供給部４８と各色に対応する取付部５０のインク供給口５０ｂとが連通し、各色のインク収容体１４からインク中継部５４を介してキャリッジ２２の記録ヘッド２４までカラーインクを供給可能となる。尚、図１２において各色のカラーインクに対応する複数のインク収容体１４は説明のために図示を省略している。
【００６４】
図１３ないし図１７を参照してブラックインクに対応するインクチューブ５６ａの経路について更に説明する。図１３においてインク収容体格納タンクユニット１６の記録ユニット２６に対向する側には開口３２が形成されている。開口３２は、インクチューブ５６ａ、フラットケーブル３０ａ及びケーブル４６が通り抜けられる大きさに開口されている。
【００６５】
図１３に示すようにインク収容体格納タンクユニット１６内に設けられた取付部５０からブラックインクに対応するインクチューブ５６ａがインク収容体格納タンクユニット１６内を横切って開口３２に延びている。インクチューブ５６ａは、開口３２からインク収容体格納タンクユニット１６の外側に導かれている。
【００６６】
また、図１４及び図１５に示すように記録ユニット２６における＋Ｘ軸方向側の側面には開口３４が形成されている。開口３４は、記録ユニット２６に対してインク収容体格納タンクユニット１６が取り付けられた状態においてインク収容体格納タンクユニット１６に設けられた開口３２と対向する位置に設けられている。また、開口３４もインクチューブ５６ａ、フラットケーブル３０ａ及びケーブル４６が通り抜けられる大きさに開口されている。
【００６７】
図１４及び図１５に示すように、インクチューブ５６ａは開口３２及び開口３４を介してインク収容体格納タンクユニット１６内から記録ユニット２６内に導かれている。そして、記録ユニット２６内に導かれたインクチューブ５６ａは図１６及び図１７に示すように、開口３４から構造体１３内において＋Ｘ軸方向側の端部に設けられたインク中継部５４の−Ｙ軸方向側へ引き回されて、インク中継部５４のブラックインクに対応する接続部５４ａに接続されている。
【００６８】
次いで図１６ないし図２３を参照してカラーインク（マゼンタ、シアン、イエロー）に対応するインクチューブ５６ｂの経路について更に説明する。図１８及び図１９においてインク収容体格納タンクユニット１８の記録ユニット２６に対向する側には開口３２が形成されている。開口３２は、インクチューブ５６ｂ、フラットケーブル３０ｂ及びケーブル４６が通り抜けられる大きさに開口されている。
【００６９】
図１８に示すようにインク収容体格納タンクユニット１８内には、マゼンタ、シアン、イエローの各色に対応する複数の取付部５０が設けられている。各色のカラーインク（マゼンタ、シアン、イエロー）に対応する取付部５０からは、それぞれインクチューブ５６ｂが引き出されている。各取付部５０から引き出されたインクチューブ５６ｂは、インク収容体格納タンクユニット１８内を横切って開口３２に延びている。複数のインクチューブ５６ｂは、開口３２からインク収容体格納タンクユニット１８の外側に導かれている。
尚、イエローのインクに対応するインクチューブ５６ｂは、インク収容体格納タンクユニット１８内において経路の途中でループを形成している。
【００７０】
また、図２０に示すように記録ユニット２６における−Ｘ軸方向側の側面には開口３４が形成されている。開口３４は、記録ユニット２６に対してインク収容体格納タンクユニット１８が取り付けられた状態においてインク収容体格納タンクユニット１８に設けられた開口３２と対向する位置に設けられている。また、開口３４もインクチューブ５６ｂ、フラットケーブル３０ｂ及びケーブル４６が通り抜けられる大きさに開口されている。
【００７１】
図１８ないし図２０に示すように、インクチューブ５６ｂは開口３２及び開口３４を介してインク収容体格納タンクユニット１６内から記録ユニット２６内に導かれている。開口３４から記録ユニット２６内に導かれた複数のインクチューブ５６ｂは、構造体１３内において開口３４の近傍に配置されたクランプ部材５８（図２１参照）により束ねられている。
【００７２】
そして、クランプ部材５８に束ねられたインクチューブ５６ｂは、図１６及び図２１に示すように構造体１３の−Ｙ方向側（前方側）の端部おいてＸ軸方向に延びるフレーム６０の下方へと延びている。フレーム６０は、インク中継部５４とキャリッジ２２との間のインクチューブ５６がキャリッジ２２の動きに追従可能なようにインクチューブ５６を支持している。
【００７３】
インクチューブ５６ｂは図１６に示すように、記録ユニット２６内においてフレーム６０の下方を通って−Ｘ軸方向側の端部から＋Ｘ軸方向側の端部へ構造体１３を横切っている。具体的には図２２に示すように、インクチューブ５６ｂは、フレーム６０と、フレーム６０の下面を覆うように設けられたカバー部材６２との間に配置されている。カバー部材６２は、複数のインクチューブ５６ｂをＹ軸方向に並べて配列し、フレーム６０の下面に沿ってＸ軸方向に案内している。
【００７４】
そして、構造体１３内において＋Ｘ軸方向側の端部に延びたインクチューブ５６ｂは、図２３に示すように＋Ｚ軸方向側に湾曲し、フレーム６０の上面側つまり＋Ｚ軸方向側へ延びている。そして、複数のインクチューブ５６ｂは、構造体１３内において＋Ｘ軸方向側の端部に設けられたインク中継部５４において各色（マゼンタ、シアン、イエロー）に対応する接続部５４ａにそれぞれ接続されている。これにより、各色のインク収容体１４からインク中継部５４を介してキャリッジ２２の記録ヘッド２４にカラーインクが供給可能となる。
【００７５】
＜＜＜電気配線について＞＞＞
次いで、図１３、図１６ないし図１９、図２１ないし図２６を参照してインク収容体格納タンクユニット１６、１８内に収容された各インク収容体１４のＣＳＩＣ基板２８に電気的に接続され、制御部２０へと延びる電気配線２９について説明する。
【００７６】
図２４及び図２５を参照するに、インク収容体格納タンクユニット１６（図２４及び図２５において説明のために図示を省略している。）のブラックインクに対応する接続部５０ａに接続された９芯のフラットケーブル３０ａはインク中継部５４の前方に配置された中継基板３６ａに接続されている。当該中継基板３６ａからは１５芯のフラットケーブル４０ａがインク中継部５４の後方に配置された合流基板４２に向けて延び、合流基板４２に接続されている。
【００７７】
一方、インク収容体格納タンクユニット１８（図２４及び図２５において説明のために図示を省略している。）のカラーインクに対応するそれぞれの接続部５０ａに接続された９芯のフラットケーブル３０ｂはインク収容体格納タンクユニット１８内に配置された中継基板３６ｂにそれぞれ接続されている。当該中継基板３６ｂからは１５芯のフラットケーブル４０ｂが構造体１３内を横切ってインク中継部５４の後方に配置された合流基板４２に向けて延び、合流基板４２に接続されている。尚、図２４、図２５では３つの取付部５０のうち一つのみを描いている。
【００７８】
合流基板４２からは一のフラットケーブル４０が制御部２０に向けて延びている。つまり、合流基板４２と制御部２０とは一のフラットケーブル４０により接続されている。
【００７９】
まず、インク収容体格納タンクユニット１６から中継基板３６ａを経て合流基板４２までのブラックインクのインク収容体１４のＣＳＩＣ基板２８に対応する電気配線について説明する。図１３を参照するに、インク収容体格納タンクユニット１６内に設けられた取付部５０の接続部５０ａには、９芯のフラットケーブル３０ａの一端が接続されている。
【００８０】
また、インク収容体格納タンクユニット１６内において、フラットケーブル３０ａの接続部５０ａから開口３２までの経路には導電部材６４が配置されている。つまり、フラットケーブル３０ａは導電部材６４に沿って接続部５０ａから開口３２まで配線されている。これにより、フラットケーブル３０ａにおけるノイズの影響を抑制することができる。
【００８１】
図１６及び図１７を再度参照するに、インク収容体格納タンクユニット１６内から延びるフラットケーブル３０ａは開口３２及び開口３４を経て構造体１３内に延びている。インク中継部５４の前方側（−Ｙ軸方向側）には中継基板３６ａが配置されている。フラットケーブル３０ａは中継基板３６ａにコネクター３８を介して接続されている。コネクター３８を介してフラットケーブル３０ａを中継基板３６ａに取り付けることにより、中継基板３６ａに対してフラットケーブル３０ａを容易に取外し、あるいは取り付けることができる。
【００８２】
また、中継基板３６ａは構造体１３における＋Ｘ軸方向側の端部における開口３４の近傍に固定されている。尚、本実施例においてフラットケーブル３０ａは接続部５０ａから中継基板３６ａへアナログ信号及びデジタル信号を伝送している。中継基板３６ａにおいてアナログ信号はデジタル信号へ変換される。
【００８３】
中継基板３６ａからは、１５芯のフラットケーブル４０ａが合流基板４２に向けて延びている。具体的には中継基板３６ａから延びるフラットケーブル４０ａは、中継基板３６ａの−Ｘ軸方向側に延びた後、中継基板３６ａの後方すなわち＋Ｙ軸方向側に位置するインク中継部５４の−Ｘ軸方向側の側部に向かって延びる。尚、フラットケーブル４０ａもコネクター３８を介して中継基板３６ａに接続されている。
【００８４】
フラットケーブル４０ａは、インク中継部５４の−Ｘ軸方向側の側部において＋Ｚ軸方向に延び、インク中継部５４の上部においてフラットケーブル４０ａの延びる向きをインク中継部５４の＋Ｙ軸方向側に変える。そして、フラットケーブル４０ａは、インク中継部５４の＋Ｙ軸方向側（背面側）に配置された合流基板４２に接続される。
【００８５】
次いで、インク収容体格納タンクユニット１８から中継基板３６ｂを経て合流基板４２までのカラーインクのインク収容体１４のＣＳＩＣ基板２８に対応する電気配線について説明する。図１８及び図１９を参照するに、インク収容体格納タンクユニット１８内において各色（マゼンタ、シアン、イエロー）に対応する取付部５０の接続部５０ａには、９芯のフラットケーブル３０ｂの一端がそれぞれ接続され、インク収容体格納タンクユニット１８内に配置された中継基板３６ｂに他端がそれぞれ接続されている。つまり、複数のフラットケーブル３０ｂが中継基板３６ｂに接続されている。
【００８６】
尚、本実施例において各色のカラーインクに対応するフラットケーブル３０ｂは接続部５０ａから中継基板３６ｂへアナログ信号及びデジタル信号を伝送している。インク収容体格納タンクユニット１８に配置された中継基板３６ｂにおいてもアナログ信号はデジタル信号へ変換される。
【００８７】
また、インク収容体格納タンクユニット１８内において、Ｙ軸方向に延びる導電部材６４が配置されている。導電部材６４上には、マゼンタ及びシアンのカラーインクに対応する接続部５０ａから中継基板３６に延びるフラットケーブル３０ｂが重なることなく並列に配線されている。したがって、複数のフラットケーブル３０ｂは互いにノイズの影響を受けることがなく、或いはノイズの影響を軽減できる。
【００８８】
また、中継基板３６ｂは開口３２の近傍に固定されている。そして、中継基板３６ｂから１５芯のフラットケーブル４０ｂが開口３２及び開口３４を経て記録ユニット２６内へ導かれている。ここで、フラットケーブル３０ｂ及びフラットケーブル４０ｂはコネクター３８により中継基板３６ｂに着脱可能に取り付けられている。
【００８９】
すなわち、中継基板３６ｂは開口３２の内側、即ち開口３２に近い位置に固定されているので、フラットケーブル３０ｂ或いはフラットケーブル４０ｂの接続及び切り離し作業をより一層容易に行うことができる。
【００９０】
図２１ないし図２３を参照するに、中継基板３６ｂから構造体１３内に導かれたフラットケーブル４０ｂは、開口３４から構造体１３の−Ｙ方向側に位置するフレーム６０へ延びている。そして、フラットケーブル４０ｂは、フレーム６０の下方においてフレーム６０の下面とカバー部材６２とに挟まれ、フレーム６０の下面に沿って構造体１３の−Ｘ軸方向側の端部から＋Ｘ軸方向側に延びている。
【００９１】
フラットケーブル４０ｂは、図２３に示すように構造体１３のＸ軸方向においてインク中継部５４の−Ｘ軸方向側の側部に対応した位置でフレーム６０の下面から上方に延びている。そして、インク中継部５４の−Ｙ軸方向側（前方側）に配置された中継基板３６ａから延びるフラットケーブル４０ａと重なり、インク中継部５４の＋Ｙ軸方向側に配置された合流基板４２に向けて延びている。
【００９２】
また、図２６に示すように合流基板４２において、構造体１３内に設けられた中継基板３６ａから延びるフラットケーブル４０ａと、インク収容体格納タンクユニット１８内に設けられた中継基板３６ｂから延びるフラットケーブル４０ｂとは合流する。つまり、合流基板４２において二つのフラットケーブル４０ａ、４０ｂは一のフラットケーブル４０に電気的にまとめられる。
【００９３】
合流基板４２から延びる一のフラットケーブル４０は構造体１３内のインク中継部５４の＋Ｙ軸方向側に設けられたフレームの上部において＋Ｘ軸方向側から−Ｘ軸方向側へ延び、構造体１３内において−Ｘ軸方向側の端部に設けられている制御部２０に接続されている。
【００９４】
＜＜＜第２の実施例＞＞＞
以下、図２７以降を参照して第２の実施例について説明する。図２７は第２の実施例に係るプリンター（以下、プリンター６６という。）の外観斜視図であり、図２８はプリンター６６におけるブラックインクの供給経路を示す斜視図であり、図２９はプリンター６６におけるカラーインクの供給経路を示す斜視図であり、図３０は記録ユニット側面に設けられ、インク収容体格納タンクユニットから延びるブラックインクのインクチューブを記録ユニット内に導く開口を示す斜視図である。
【００９５】
図３１は図３０における開口の拡大斜視図であり、図３２は構造体内に設けられたインク中継部を前方から見た際のインクチューブの取り回しを示す図であり、図３３はカラーインクのインク収容体を格納するインク収容体格納タンクユニットから記録ユニット内へのカラーインクの供給経路を示す側面図であり、図３４は記録ユニット側面に設けられ、インク収容体格納タンクユニットから延びるカラーインクの複数のインクチューブを記録ユニット内に導く開口を示す斜視図であり、図３５は図３４における開口近傍の構造体内のカラーインクのインクチューブ取り回しを示す斜視図である。
【００９６】
図３６はプリンター６６における構造体の背面側斜視図であり、図３７はインク中継部を右側方から見た斜視図であり、図３８は構造体におけるキャリッジの移動領域及びインク中継部を前方から見た斜視図であり、図３９はプリンター６６におけるインク収容体からの情報を伝達するケーブルの取り回しを右側方側から見た図であり、図４０はプリンター６６におけるインク収容体からの情報を伝達するケーブルの取り回しを左側方側から見た図である。
【００９７】
図４１はインク中継部内におけるブラックインクの情報を伝達するケーブルの取り回しを示す説明図であり、図４２は構造体内におけるケーブルの取り回しを示す斜視図であり、図４３は構造体内における制御部近傍のケーブルの取り回しを示す斜視図であり、図４４は記録ユニット内に設けられた、インクチューブを保護するエッジガイドの拡大図であり、図４５は記録ユニット内においてエッジガイドを取り外した状態におけるフレームの接続部を示す図である。
【００９８】
各図において示すＸ−Ｙ−Ｚ座標系はＸ方向が記録ヘッドの走査方向、Ｙ方向が記録装置の奥行き方向及び用紙搬送方向、Ｚ方向が記録ヘッドと用紙との間の距離（ギャップ）の変化する方向すなわち装置高さ方向を示している。尚、各図において−Ｙ方向を装置前面側とし、＋Ｙ方向側を装置背面側とする。
【００９９】
図２７を参照するに第２の実施例に係るプリンター６６が示されている。プリンター６６も、記録ユニット６８の外側、つまり＋Ｘ軸方向側の端部及び−Ｘ軸方向側の端部にインク収容体格納タンクユニット１６、１８を備えている。尚、インク収容体格納タンクユニット１６、１８については第１の実施例と同様の構成であるのでその説明を省略する。
【０１００】
＜＜＜インクの供給経路について＞＞＞
図２８及び図２９を参照するに、構造体１３内にはインク中継部５４が設けられている。インク中継部５４にはブラック、マゼンタ、シアン、イエローの各色に対応するインク収容体１４からインクを供給するインクチューブ５６を接続するための接続部５４ａが複数設けられている。尚、図２８ではカラー側のインク供給径路（インク収容体格納タンクユニット１８〜インク中継部５４）を省略し、図２９ではブラック側のインク供給径路における取付部５０を省略している。また、図２９ではカラーインクにそれぞれ対応する３つの取付部５０のうち一つのみを描いている。
【０１０１】
インク中継部５４からはブラック、マゼンタ、シアン、イエローの各色に対応するインクチューブ５６がキャリッジ２２に向けて延びている。インク中継部５４とキャリッジ２２との間の複数のインクチューブ５６は図２８及び図２９におけるＹ軸方向に並列に整列させられるとともにキャリッジ２２の図２８及び図２９におけるＸ軸方向の移動に追従するように構成されている。具体的には、図３８に示すように複数のインクチューブ５６はキャリッジ２２の移動に伴うインクチューブ５６の湾曲部がＺ軸方向に形成されるように配置されている。
【０１０２】
また、各色（ブラック、マゼンタ、シアン、イエロー）のカラーインクに対応するインクチューブ５６ａ、５６ｂはインク中継部５４のそれぞれ対応する接続部５４ａに接続されている。したがって、インク収容体格納タンクユニット１６、１８の取付部５０に各色のインク収容体１４が接続されると、インクチューブ５６ａ、５６ｂによりインク中継部５４を介して記録ヘッド２４にインク供給可能となる。
【０１０３】
図３０ないし図３１を参照するに本実施例においても、記録ユニット６８の＋Ｘ軸方向側の側面には開口３４が設けられている。また、開口３４は第１の実施例と同様にインク収容体格納タンクユニット１６の開口３２と対向する位置に設けられている。
【０１０４】
また、インク収容体格納タンクユニット１６内に設けられたインク供給口５０ｂに接続されたインクチューブ５６ａは開口３２及び開口３４を経て記録ユニット６８内に導かれている。記録ユニット６８内に導かれたインクチューブ５６ａは、インク中継部５４の対応する接続部５４ａに接続されている。
【０１０５】
図３３及び図３４を参照するにインク収容体格納タンクユニット１８内にはマゼンタ、シアン、イエローの各色のインク収容体１４に対応する取付部５０が設けられている。各取付部５０のインク供給口５０ｂからはインクチューブ５６ｂがインク収容体格納タンクユニット１８に設けられた開口３２及び記録ユニット６８の−Ｘ軸方向側に配置された開口３４に向けてそれぞれ延びている。尚、本実施例においても開口３４と開口３２とは対向している。
【０１０６】
図３６ないし図３８を参照するに、開口３４から記録ユニット６８内へ延びるインクチューブ５６ｂは構造体１３内において−Ｘ軸方向側の端部に設けられた位置決め部材７０をくぐり、その後、エッジガイド７２を通る。エッジガイド７２を通過した各インクチューブ５６ｂは、構造体１３の−Ｙ軸方向側（前方側）においてＸ軸方向に延びるフレーム６０の上面において−Ｘ軸方向側から＋Ｘ軸方向側へ延びている。
【０１０７】
ここで、図４４及び図４５を参照して、エッジガイド７２について説明する。図４５に示すように構造体１３においてＸ軸方向に延びるフレーム６０（図３６及び図４２参照）は、構造体１３の−Ｘ軸方向側の端部に位置決め部７８により位置決めされた後、締結部材８０で構造体１３の−Ｘ軸方向側の端部に取り付けられる。
【０１０８】
構造体１３の−Ｘ軸方向側の端部にフレーム６０が組みつけられた状態のまま、インクチューブ５６ｂを−Ｘ軸方向側から＋Ｘ軸方向側に向けてフレーム６０の上面を通すと、インクチューブ５６ｂが構造体１３の−Ｘ軸方向側の端部におけるエッジ１３ａやフレーム６０の−Ｘ軸方向側の端部の端面６０ａのエッジに当接して破損する虞や、インクチューブ５６ｂが位置決め部７８や締結部材８０に当接してインクチューブ５６ｂが破損する虞がある。
【０１０９】
エッジガイド７２は、構造体１３の−Ｘ軸方向側の端部においてエッジ１３ａ及びフレーム６０の端面６０ａのエッジを覆うように取り付けられている。また、エッジガイド７２を構造体１３の−Ｘ軸方向側の端部に取り付けることにより位置決め部７８や締結部材８０も覆っている。これにより、インクチューブ５６ｂはエッジガイド７２内を通ってフレーム６０上を＋Ｘ軸方向に延びることとなるので、インクチューブ５６ｂがこれらの部材やエッジと直接当接することを防止することができ、インクチューブ５６ｂが破損する虞を低減させることができる。
【０１１０】
図３２、図３６ないし図３８に示すように、フレーム６０上を＋Ｘ軸方向側に延びているインクチューブ５６ｂはインク中継部５４の−Ｘ軸方向側に配置されたスライダー部材７４によりフレーム６０上から＋Ｚ軸方向に湾曲させられて、インク中継部５４の対応する接続部５４ａにそれぞれ接続されている。スライダー部材７４は、インクチューブ５６ｂのインク流路がつぶれないように最小曲率を保ちながらインクチューブ５６ｂをフレーム６０上からインク中継部５４へ案内する部材である。
【０１１１】
＜＜＜電気配線について＞＞＞
次いで、図３１、図３３ないし図３７、図３９ないし図４３を参照してインク収容体格納タンクユニット１６、１８内に収容された各インク収容体１４のＣＳＩＣ基板２８に電気的に接続され、制御部２０へと延びる電気配線２９について説明する。
【０１１２】
図３９及び図４０を参照するに、インク収容体格納タンクユニット１６（図２４及び図２５において説明のために図示を省略している。）のブラックインクに対応する接続部５０ａに接続された９芯のフラットケーブル３０ａは構造体１３内に配置された中継基板３６ａに接続されている。当該中継基板３６ａからは１５芯のフラットケーブル４０ａが合流基板４２に向けて延び、合流基板４２に接続されている。
【０１１３】
一方、インク収容体格納タンクユニット１８（図２４及び図２５において説明のために図示を省略している。）のカラーインクに対応するそれぞれの接続部５０ａに接続された９芯のフラットケーブル３０ｂはインク収容体格納タンクユニット１８内に配置された中継基板３６ｂに接続されている。当該中継基板３６ｂからは１５芯のフラットケーブル４０ｂが構造体１３内に設けられた合流基板４２に向けて延び、合流基板４２に接続されている。尚、図３９及び図４０ではカラーインクに対応する３つの取付部５０のうち一つのみを描いている。
【０１１４】
合流基板４２からは一のフラットケーブル４０が制御部２０に向けて延びている。つまり、合流基板４２と制御部２０とは一のフラットケーブル４０により接続されている。
【０１１５】
まず、インク収容体格納タンクユニット１６から中継基板３６ａを介して合流基板４２までの電気配線について図３１、図４１ないし図４３を参照して説明する。ブラックインクを収容するインク収容体のＣＳＩＣ基板に接続部５０ａを介して電気的に接続される９芯のフラットケーブル３０ａはインク収容体格納タンクユニット１６内から開口３２及び開口３４を経て筐体６８内に延びている。尚、フラットケーブル３０ａはインク収容体格納タンクユニット１６内では導電部材６４に沿って配線されている。
【０１１６】
また、図４１及び図４２に示すように構造体１３の＋Ｘ軸方向側の端部に位置するインク中継部５４には＋Ｘ軸方向、−Ｘ軸方向及び＋Ｚ軸方向の３方を覆うカバー７６が設けられている。本実施例ではカバー７６は導電性材料で形成されている。
【０１１７】
構造体１３内に引き込まれたフラットケーブル３０ａは、カバー７６の＋Ｘ軸方向側の内壁及び＋Ｚ軸方向側の内壁に沿って延び、カバー７６の−Ｘ軸方向側の外壁に設けられた中継基板３６ａに接続されている。フラットケーブル３０ａは、ＣＳＩＣ基板２８から中継基板３６ａまでアナログ信号及びデジタル信号を伝送する。また、中継基板３６ａにおいてアナログ信号はデジタル信号に変換される。
【０１１８】
カバー７６の外壁に設けられた中継基板３６ａからは、１５芯のフラットケーブル４０ａが、＋Ｙ軸方向に向けて延びている。そして、フラットケーブル４０ａは、キャリッジ２２の＋Ｙ軸方向側に位置し、かつＸ軸方向に延びているフレームの上部において向きを変えて−Ｘ軸方向側に延び、当該フレームの上部に設けられている合流基板４２に接続されている。
【０１１９】
次いで、インク収容体格納タンクユニット１８から中継基板３６ｂを経て合流基板４２までのカラーインクのインク収容体１４のＣＳＩＣ基板２８に対応する電気配線について説明する。図３３及び図３５を参照するに、インク収容体格納タンクユニット１８内において各色（マゼンタ、シアン、イエロー）に対応する取付部５０の接続部５０ａには、９芯のフラットケーブル３０ｂの一端がそれぞれ接続され、インク収容体格納タンクユニット１８内に配置された中継基板３６ｂに他端がそれぞれ接続されている。つまり、複数のフラットケーブル３０ｂが中継基板３６ｂに接続されている。尚、図３５ではカラーインクに対応する３つの取付部５０のうち一つのみを描いている。
【０１２０】
尚、本実施例において各色のカラーインクに対応するフラットケーブル３０ｂは接続部５０ａから中継基板３６ｂへアナログ信号及びデジタル信号を伝送している。インク収容体格納タンクユニット１８に配置された中継基板３６ｂにおいてもアナログ信号はデジタル信号へ変換される。
【０１２１】
また、インク収容体格納タンクユニット１８内において、Ｙ軸方向に延びる導電部材６４が配置されている。導電部材６４上には、マゼンタ及びシアンのカラーインクに対応する接続部５０ａから中継基板３６に延びるフラットケーブル３０ｂが重なることなく並列に配線されている。したがって、複数のフラットケーブル３０ｂは互いにノイズの影響を受けることがなく、或いはノイズの影響を軽減できる。
【０１２２】
また、中継基板３６ｂは開口３２の近傍に固定されている。そして、中継基板３６ｂから１５芯のフラットケーブル４０ｂが開口３２及び開口３４を経て構造体１３内へ導かれている。ここで、フラットケーブル３０ｂ及びフラットケーブル４０ｂはコネクター３８により中継基板３６ｂに着脱可能に取り付けられている。
【０１２３】
中継基板３６ｂからは１５芯のフラットケーブル４０ｂが開口３２及び開口３４を経て構造体１３内に延びている。図３６及び図４３に示すように、フラットケーブル４０ｂは構造体１３の−Ｘ軸方向側の端部において＋Ｚ軸方向へ延びている。そして、フラットケーブル４０ｂは、構造体１３内のフレームに沿って、合流基板４２へ延び、合流基板４２に接続されている。
【０１２４】
また、図３６、図４２及び図４３に示すように合流基板４２において、構造体１３内に設けられた中継基板３６ａから延びるフラットケーブル４０ａと、インク収容体格納ケース１８内に設けられた中継基板３６ｂから延びるフラットケーブル４０ｂとは合流する。つまり、合流基板４２において二つのフラットケーブル４０ａ、４０ｂは一のフラットケーブル４０に電気的にまとめられる。そして、合流基板４２から延びる一のフラットケーブル４０は、構造体１３内において−Ｘ軸方向側の端部に設けられている制御部２０に接続されている。
【０１２５】
また、本実施例において図示は省略したが、インク収容体格納タンクユニット１６、１８内にはそれぞれ開閉検出センサ４４、４４が設けられている。開閉検出センサ４４と制御部２０とはケーブル４６により電気的に接続されている。したがって、開閉検出センサ４４の検出信号は制御部２０に伝達され、制御部２０は当該検出信号に基づいて記録動作を制御する。
【０１２６】
＜＜＜第１の実施例及び第２の実施例の変更例＞＞＞
（１）本実施例において、開閉検出センサ４４から延びるケーブル４６はインク収容体格納ケース１６、１８から構造体１３内を引き回されて制御部２０にそのまま接続される構成であるが、この構成に代えて、ケーブル４６を制御部側ケーブル及びタンクユニット側ケーブルの２つのケーブルにより構成し、接続部で着脱可能とする構成としてもよい。ここで前記接続部は開口３２、３４の近傍に配置することができる。また、接続部は、これら２つのケーブルを中継基板やコネクター等により接続する構成とすることができる。このように構成すれば、インク収容体格納タンクユニット１６、１８を装置本体１２から取り外す際の作業性を向上させることができる。
【０１２７】
（２）また、本実施例では、インク収容体格納タンクユニット１６、１８のカバー１９、１９が開いた状態において当該インク収容体格納タンクユニット１６、１８内に収容されているインク収容体１４を交換可能とする構成としたが、この構成に代えて、インク収容体格納タンクユニット１６、１８のカバー１９、１９が開いた状態において当該インク収容体格納タンクユニット１６、１８内に収容されているインク収容体１４にインクを補充可能とする構成としてもよい。
【０１２８】
上記説明をまとめると、本実施例におけるプリンター１０、６６は、媒体に対しインクを噴射可能な記録ヘッド２４と、記録ヘッド２４を制御する制御部２０と、記録ヘッド２４及び制御部２０を備える構造体１３を覆う記録ユニット２６、６８と、インクを収容するインク収容体１４、及びインク収容体の情報を保持するＣＳＩＣ基板２８を格納する、記録ユニット２６、６８の外側に取り付けられたインク収容体格納タンクユニット１６、１８と、インク収容体１４から記録ユニット２６、６８の内部にインクを導くインクチューブ５６ａ、５６ｂと、制御部２０とＣＳＩＣ基板２８とを電気的に接続する電気配線２９とを備えている。電気配線２９は、フラットケーブル３０ａ、３０ｂ、４０ａ、４０ｂを接続する中継基板３６ａ、３６ｂと、中継基板３６ａ、３６ｂに対しＣＳＩＣ基板２８側の配線を構成するケーブルであって少なくとも一部がインク収容体格納タンクユニット１６、１８内に配線されるフラットケーブル３０ａ、３０ｂと、中継基板３６ａ、３６ｂに対し制御部２０側の配線を構成するケーブルであって少なくとも一部が記録ユニット２６、６８内に配線されるフラットケーブル４０ａ、４０ｂと、を含み、フラットケーブル３０ａ、３０ｂが伝送する信号は、アナログ信号を含み、フラットケーブル４０ａ、４０ｂが伝送する信号は、アナログ信号を含まない。
【０１２９】
また、本実施例におけるプリンター１０、６６は、媒体に対しインクを噴射可能な記録ヘッド２４と、記録ヘッド２４を制御する制御部２０と、記録ヘッド２４及び制御部２０を備える構造体１３を覆う記録ユニット２６、６８と、インクを収容する複数のインク収容体１４、及び複数のインク収容体の情報を保持する複数のＣＳＩＣ基板２８を格納する、記録ユニット２６、６８の外側に取り付けられたインク収容体格納タンクユニット１６、１８と、複数のインク収容体１４から記録ユニット２６、６８の内部にインクを導く複数のインクチューブ５６ａ、５６ｂと、制御部２０とＣＳＩＣ基板２８とを電気的に接続する電気配線２９とを備えている。電気配線２９は、ケーブルを接続する中継基板３６ａ、３６ｂと、中継基板３６ａ、３６ｂに対し制御部２０側の配線を構成するフラットケーブル４０ａ、４０ｂと、中継基板３６ａ、３６ｂに対し複数のＣＳＩＣ基板２８側の配線を構成する複数のフラットケーブル３０ａ、３０ｂと、を含み、中継基板３６ｂは、複数のフラットケーブル３０ｂと一のフラットケーブル４０ｂを接続可能であるとともに、複数のＣＳＩＣ基板２８と制御部２０との間の情報の送受信において、一のフラットケーブル４０ｂによるデジタル信号の伝送を介して中継する中継手段を構成する。
【０１３０】
また、本実施例におけるプリンター１０、６６は、媒体に対しインクを噴射可能な記録ヘッド２４と、記録ヘッド２４を制御する制御部２０と、記録ヘッド２４及び制御部２０を備える構造体１３を覆う記録ユニット２６、６８と、インクを収容するインク収容体１４、及びインク収容体の情報を保持するＣＳＩＣ基板２８を格納する、記録ユニット２６、６８の外側に取り付けられたインク収容体格納タンクユニット１６、１８と、インク収容体１４から記録ユニット２６、６８の内部にインクを導くインクチューブ５６ａ、５６ｂと、制御部２０とＣＳＩＣ基板２８とを電気的に接続する電気配線２９とを備えている。電気配線２９は、ケーブルを接続する中継基板３６ａ、３６ｂと、中継基板３６ａ、３６ｂに対し制御部２０側の配線を構成するフラットケーブル４０ａ、４０ｂと、中継基板３６ａ、３６ｂに対しＣＳＩＣ基板２８側の配線を構成するフラットケーブル３０ａ、３０ｂと、を含み、中継基板３６ａ、３６ｂは、ＣＳＩＣ基板２８と制御部２０との間の情報の送受信において、一のフラットケーブル４０ａ、４０ｂによるデジタル信号の伝送を介して中継する中継手段を構成するとともに、電気配線２９において制御部２０とＣＳＩＣ基板２８との間の中間位置に対しＣＳＩＣ基板２８に近い側に設けられている。
【０１３１】
また、プリンター１０、６６において、フラットケーブル４０ａ、４０ｂ及びフラットケーブル３０ａ、３０ｂの少なくともいずれかは、中継基板３６ａ、３６ｂにおいて接続及び切り離しが可能であり、インク収容体格納タンクユニット１６、１８には電気配線２９を通す開口３２が形成され、中継基板３６ｂは、開口３２とＣＳＩＣ基板２８との間に設けられている。中継基板３６ｂは、開口３２の内側に固定されている。また、複数のフラットケーブル３０ｂは、インク収容体格納タンクユニット１８の内部において重なることなく並列に配線されている。
【０１３２】
また、本実施形態では本発明に係るフラットケーブル３０、４０、中継基板３６及び合流基板４２を記録装置の一例としてのインクジェットプリンターに適用したが、その他液体噴射装置一般に適用することも可能である。
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【０１３３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１３４】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１３５】
１０、６６  プリンター、１２  装置本体、１３  構造体、１３ａ  エッジ、１４  インク収容体、１４ａ  取付部、１６、１８  インク収容体格納タンクユニット、１９  カバー、２０  制御部、２２  キャリッジ、２４  記録ヘッド、２６、６８  記録ユニット、２８  ＣＳＩＣ基板、２９  電気配線、３０ａ、３０ｂ、４０ａ、４０ｂ  フラットケーブル、３２、３４  開口、３６ａ、３６ｂ  中継基板、３８  コネクター、４２  合流基板、４４  開閉検出センサ、４４ａ  スイッチ、４６  ケーブル、４８  インク供給部、５０  取付部、５０ａ、５４ａ  接続部、５０ｂ  インク供給口、５２  係合部、５４  インク中継部、５６、５６ａ、５６ｂ  インクチューブ、５８  クランプ部材、６０  フレーム、６０ａ  端面、６２  カバー部材、６４  導電部材、７０  位置決め部材、７２  エッジガイド、７４  スライダー部材、７６  カバー、７８  位置決め部、８０  締結部材。
【図１】
2015136869.tif 000003
【図２】
2015136869.tif 000004
【図３】
2015136869.tif 000005
【図４】
2015136869.tif 000006
【図５】
2015136869.tif 000007
【図６】
2015136869.tif 000008
【図７】
2015136869.tif 000009
【図８】
2015136869.tif 000010
【図９】
2015136869.tif 000011
【図１０】
2015136869.tif 000012
【図１１】
2015136869.tif 000013
【図１２】
2015136869.tif 000014
【図１３】
2015136869.tif 000015
【図１４】
2015136869.tif 000016
【図１５】
2015136869.tif 000017
【図１６】
2015136869.tif 000018
【図１７】
2015136869.tif 000019
【図１８】
2015136869.tif 000020
【図１９】
2015136869.tif 000021
【図２０】
2015136869.tif 000022
【図２１】
2015136869.tif 000023
【図２２】
2015136869.tif 000024
【図２３】
2015136869.tif 000025
【図２４】
2015136869.tif 000026
【図２５】
2015136869.tif 000027
【図２６】
2015136869.tif 000028
【図２７】
2015136869.tif 000029
【図２８】
2015136869.tif 000030
【図２９】
2015136869.tif 000031
【図３０】
2015136869.tif 000032
【図３１】
2015136869.tif 000033
【図３２】
2015136869.tif 000034
【図３３】
2015136869.tif 000035
【図３４】
2015136869.tif 000036
【図３５】
2015136869.tif 000037
【図３６】
2015136869.tif 000038
【図３７】
2015136869.tif 000039
【図３８】
2015136869.tif 000040
【図３９】
2015136869.tif 000041
【図４０】
2015136869.tif 000042
【図４１】
2015136869.tif 000043
【図４２】
2015136869.tif 000044
【図４３】
2015136869.tif 000045
【図４４】
2015136869.tif 000046
【図４５】
2015136869.tif 000047
【国際調査報告】
2015136869.tif 000048
2015136869.tif 000049
2015136869.tif 000050
2015136869.tif 000051